【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスによるワイヤレス通信の方法であって、
前記第１のコンポーネントキャリアのアップリンクダウンリンク構成に基づいて、前記それぞれの第１のコンポーネントキャリアおよび第２のコンポーネントキャリアのＴＤＤサブフレームおよびＦＤＤサブフレームを含むダウンリンク（ＤＬ）サブフレームのセットと、前記第１のコンポーネントキャリアのアップリンク（ＵＬ）サブフレームとの間の関連付けを判断することと、ここにおいて、前記第１のコンポーネントキャリア上で通信するためのアップリンクおよびダウンリンクサブフレームの利用可能性は、前記第１のコンポーネントキャリアの前記アップリンクダウンリンク構成に従って判断され、前記第２のコンポーネントキャリア上で通信するためのアップリンクおよびダウンリンクサブフレームの利用可能性と異なる、
ＤＬサブフレームの前記セット上での送信に関連付けられた制御情報を生成することと、
前記関連付けに基づいて前記第１のコンポーネントキャリアの前記ＵＬサブフレーム上で前記制御情報を送ることと、ここにおいて、前記第２のコンポーネントキャリアの各ＤＬサブフレームが前記第１のコンポーネントキャリアの対応するＵＬサブフレームに関連付けられる、
を備える、方法。
【請求項２】
前記関連付けは、所定の数以下のＦＤＤサブフレームのための制御情報が前記ＵＬサブフレームに関連付けられるような、１つまたは複数のＦＤＤサブフレームに関連付けられた前記制御情報の分配を備える、請求項１に記載の方法。
【請求項３】
前記所定の数のＦＤＤサブフレームが１つのＤＬサブフレームを備える、請求項２に記載の方法。
【請求項４】
前記ＵＬサブフレームが、最小ハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、請求項１に記載の方法。
【請求項５】
前記関連付けが、前記第１のコンポーネントキャリアの前記アップリンクダウンリンク構成に関して前記ＦＤＤサブフレームのためのＨＡＲＱフィードバックの分配を指定する、請求項１に記載の方法。
【請求項６】
前記制御情報がＨＡＲＱフィードバックビットを備え、前記制御情報を送ることが、ＤＬサブフレームの前記セット中の２つ以上のサブフレームのために前記ＨＡＲＱフィードバックビットをバンドルすることを備える、請求項１に記載の方法。
【請求項７】
前記関連付けが、ＨＡＲＱフィードバックの、ＵＬ制御チャネルフォーマットのビットへのマッピングを備える、請求項１に記載の方法。
【請求項８】
少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスであって、前記モバイルデバイスは、
前記第１のコンポーネントキャリアのアップリンクダウンリンク構成に基づいて、前記それぞれの第１のコンポーネントキャリアおよび第２のコンポーネントキャリアのＴＤＤサブフレームおよびＦＤＤサブフレームを含むダウンリンク（ＤＬ）サブフレームのセットと、前記第１のコンポーネントキャリアのアップリンク（ＵＬ）サブフレームとの間の関連付けを判断するための手段と、ここにおいて、前記第１のコンポーネントキャリア上で通信するためのアップリンクおよびダウンリンクサブフレームの利用可能性は、前記第１のコンポーネントキャリアの前記アップリンクダウンリンク構成に従って判断され、前記第２のコンポーネントキャリア上で通信するためのアップリンクおよびダウンリンクサブフレームの利用可能性と異なる、
ＤＬサブフレームの前記セット上での送信に関連付けられた制御情報を生成するための手段と、
前記関連付けに基づいて前記第１のコンポーネントキャリアの前記ＵＬサブフレーム上で前記制御情報を送るための手段と、ここにおいて、前記第２のコンポーネントキャリアの各ＤＬサブフレームが前記第１のコンポーネントキャリアの対応するＵＬサブフレームに関連付けられる、
を備える、モバイルデバイス。
【請求項９】
前記関連付けは、所定の数以下のＦＤＤサブフレームのための制御情報が前記ＵＬサブフレームに関連付けられるような、１つまたは複数のＦＤＤサブフレームに関連付けられた前記制御情報の分配を備える、請求項８に記載のモバイルデバイス。
【請求項１０】
前記所定の数のＦＤＤサブフレームが１つのＤＬサブフレームを備える、請求項９に記載のモバイルデバイス。
【請求項１１】
前記ＵＬサブフレームが、最小のハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、請求項８に記載のモバイルデバイス。
【請求項１２】
前記関連付けが、前記第１のコンポーネントキャリアの前記アップリンクダウンリンク構成に関して前記ＦＤＤサブフレームのためのＨＡＲＱフィードバックの分配を指定する、請求項８に記載のモバイルデバイス。
【請求項１３】
前記制御情報がＨＡＲＱフィードバックビットを備え、前記制御情報を送るための前記手段が、ＤＬサブフレームの前記セット中の２つ以上のサブフレームのために前記ＨＡＲＱフィードバックビットをバンドルするためにさらに構成された、請求項８に記載のモバイルデバイス。
【請求項１４】
前記関連付けが、ＨＡＲＱフィードバックの、ＵＬ制御チャネルフォーマットのビットへのマッピングを備える、請求項８に記載のモバイルデバイス。
【請求項１５】
少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスであって、前記モバイルデバイスは、
前記第１のコンポーネントキャリアのアップリンクダウンリンク構成に基づいて、前記それぞれの第１のコンポーネントキャリアおよび第２のコンポーネントキャリアのＴＤＤサブフレームおよびＦＤＤサブフレームを含むダウンリンク（ＤＬ）サブフレームのセットと、前記第１のコンポーネントキャリアのアップリンク（ＵＬ）サブフレームとの間の関連付けを判断することと、ここにおいて、前記第１のコンポーネントキャリア上で通信するためのアップリンクおよびダウンリンクサブフレームの利用可能性は、前記第１のコンポーネントキャリアの前記アップリンクダウンリンク構成に従って判断され、前記第２のコンポーネントキャリア上で通信するためのアップリンクおよびダウンリンクサブフレームの利用可能性と異なる、
ＤＬサブフレームの前記セット上での送信に関連付けられた制御情報を生成することと
を行うように構成された少なくとも１つのプロセッサと、
前記関連付けに基づいて前記第１のコンポーネントキャリアの前記ＵＬサブフレーム上で前記制御情報を送るように構成されたトランシーバと、ここにおいて、前記第２のコンポーネントキャリアの各ＤＬサブフレームが前記第１のコンポーネントキャリアの対応するＵＬサブフレームに関連付けられる、
前記少なくとも１つのプロセッサに結合された、データを記憶するためのメモリと
を備える、モバイルデバイス。
【請求項１６】
前記関連付けは、所定の数以下のＦＤＤサブフレームのための制御情報が前記ＵＬサブフレームに関連付けられるような、１つまたは複数のＦＤＤサブフレームに関連付けられた前記制御情報の分配を備える、請求項１５に記載のモバイルデバイス。
【請求項１７】
前記所定の数のＦＤＤサブフレームが１つのＤＬサブフレームを備える、請求項１６に記載のモバイルデバイス。
【請求項１８】
前記ＵＬサブフレームが、最小のハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、請求項１５に記載のモバイルデバイス。
【請求項１９】
前記制御情報がＨＡＲＱフィードバックビットを備え、前記トランシーバが、前記制御情報を送るようにさらに構成され、ＤＬサブフレームの前記セット中の２つ以上のサブフレームのために前記ＨＡＲＱフィードバックビットをバンドルすることを備える、請求項１５に記載のモバイルデバイス。
【請求項２０】
前記関連付けが、ＨＡＲＱフィードバックの、ＵＬ制御チャネルフォーマットのビットへのマッピングを備える、請求項１５に記載のモバイルデバイス。
【請求項２１】
命令を記憶する非一時的なコンピュータ可読記憶媒体であって、前記命令は、プロセッサによって実行されるとき、前記プロセッサに、
第１のコンポーネントキャリアのアップリンクダウンリンク構成に基づいて、第１のコンポーネントキャリアのＴＤＤサブフレームおよび第２のコンポーネントキャリアのＦＤＤサブフレームを含むダウンリンク（ＤＬ）サブフレームのセットと、前記第１のコンポーネントキャリアのアップリンク（ＵＬ）サブフレームとの間の関連付けを判断することと、ここにおいて、前記第１のコンポーネントキャリア上で通信するためのアップリンクおよびダウンリンクサブフレームの利用可能性は、前記第１のコンポーネントキャリアの前記アップリンクダウンリンク構成に従って判断され、前記第２のコンポーネントキャリア上で通信するためのアップリンクおよびダウンリンクサブフレームの利用可能性と異なる、
ＤＬサブフレームの前記セット上での送信に関連付けられた制御情報を生成することと、
前記関連付けに基づいて前記第１のコンポーネントキャリアの前記ＵＬサブフレーム上で前記制御情報を送ることと、ここにおいて、前記第２のコンポーネントキャリアの各ＤＬサブフレームが前記第１のコンポーネントキャリアの対応するＵＬサブフレームに関連付けられる、
を行わせる、非一時的なコンピュータ可読記憶媒体。
【請求項２２】
モバイルデバイスのための少なくとも時分割二重（ＴＤＤ）の第１のコンポーネントキャリアと周波数分割二重（ＦＤＤ）の第２のコンポーネントキャリアとのキャリアアグリゲーション（ＣＡ）をサポートするアクセスノードによるワイヤレス通信の方法であって、
アップリンク（ＵＬ）サブフレーム上で前記モバイルデバイスから、第１のコンポーネントキャリアのＴＤＤサブフレームおよび第２のコンポーネントキャリアのＦＤＤサブフレームを含むダウンリンク（ＤＬ）サブフレームのセット上での送信に関連付けられた制御情報を受信することと、ここにおいて、前記第１のコンポーネントキャリア上で通信するためのアップリンクおよびダウンリンクサブフレームの利用可能性は、前記第１のコンポーネントキャリアの前記アップリンクダウンリンク構成に従って判断され、前記第２のコンポーネントキャリア上で通信するためのアップリンクおよびダウンリンクサブフレームの利用可能性と異なる、
前記第１のコンポーネントキャリアのアップリンクダウンリンク構成に基づいて、ＤＬサブフレームの前記セットと前記ＵＬサブフレームとの間の関連付けを判断することと、
前記アクセスノードによって、前記関連付けに従って前記制御情報を復号することと、ここにおいて、前記第２のコンポーネントキャリアの各ＤＬサブフレームが前記第１のコンポーネントキャリアのＵＬサブフレームに関連付けられる、
を備える、方法。
【請求項２３】
前記関連付けは、所定の数以下のＦＤＤサブフレームのための制御情報が前記ＤＬサブフレームに関連付けられるような、前記第２のコンポーネントキャリアのサブフレームに関連付けられた制御情報の分配を備える、請求項２２に記載の方法。
【請求項２４】
前記ＵＬサブフレームが、最小ハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、請求項２２に記載の方法。
【請求項２５】
前記制御情報が、バンドルされたＨＡＲＱフィードバックを備え、前記制御情報を復号することが、前記関連付けられた１つまたは複数のＦＤＤサブフレームのステータスを判断するために前記ＨＡＲＱフィードバックを復号することを備える、請求項２２に記載の方法。
【請求項２６】
前記関連付けが、ＨＡＲＱフィードバックの、ＵＬ制御チャネルフォーマットのビットへのマッピングを備える、請求項２２に記載の方法。
【請求項２７】
少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたアクセスノードであって、
アップリンク（ＵＬ）サブフレーム上でモバイルデバイスから、第１のコンポーネントキャリアのＴＤＤサブフレームおよび第２のコンポーネントキャリアのＦＤＤサブフレームを含むダウンリンク（ＤＬ）サブフレームのセット上での送信に関連付けられた制御情報を受信するための手段と、ここにおいて、前記第１のコンポーネントキャリア上で通信するためのアップリンクおよびダウンリンクサブフレームの利用可能性は、前記第１のコンポーネントキャリアの前記アップリンクダウンリンク構成に従って判断され、前記第２のコンポーネントキャリア上で通信するためのアップリンクおよびダウンリンクサブフレームの利用可能性と異なる、
前記第１のコンポーネントキャリアのアップリンクダウンリンク構成に基づいて、ＤＬサブフレームの前記セットと前記ＵＬサブフレームとの間の関連付けを判断するための手段と、
前記アクセスノードによって、前記関連付けに従って前記制御情報を復号するための手段と、ここにおいて、前記第２のコンポーネントキャリアの各ＤＬサブフレームが前記第１のコンポーネントキャリアのＵＬサブフレームに関連付けられる、を備える、アクセスノード。
【請求項２８】
前記関連付けは、所定の数以下のＦＤＤサブフレームのための制御情報が前記ＤＬサブフレームに関連付けられるような、前記第２のコンポーネントキャリアのサブフレームに関連付けられた制御情報の分配を備える、請求項２７に記載のアクセスノード。
【請求項２９】
前記ＵＬサブフレームが、最小ハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、請求項２７に記載のアクセスノード。
【請求項３０】
前記制御情報が、バンドルされたＨＡＲＱフィードバックを備え、前記制御情報を復号することが、前記関連付けられた１つまたは複数のＦＤＤサブフレームのステータスを判断するために前記ＨＡＲＱフィードバックを復号することを備える、請求項２７に記載のアクセスノード。
【請求項３１】
前記関連付けが、ＨＡＲＱフィードバックの、ＵＬ制御チャネルフォーマットのビットへのマッピングを備える、請求項２７に記載のアクセスノード。
【請求項３２】
モバイルデバイスのための少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたアクセスノードであって、
アップリンク（ＵＬ）サブフレーム上で前記モバイルデバイスから、第１のコンポーネントキャリアのＴＤＤサブフレームおよび第２のコンポーネントキャリアのＦＤＤサブフレームを含むダウンリンク（ＤＬ）サブフレームのセット上での送信に関連付けられた制御情報を受信するように構成されたトランシーバと、ここにおいて、前記第１のコンポーネントキャリア上で通信するためのアップリンクおよびダウンリンクサブフレームの利用可能性は、前記第１のコンポーネントキャリアの前記アップリンクダウンリンク構成に従って判断され、前記第２のコンポーネントキャリア上で通信するためのアップリンクおよびダウンリンクサブフレームの利用可能性と異なる、
前記第１のコンポーネントキャリアのアップリンクダウンリンク構成に基づいて、ＤＬサブフレームの前記セットと前記ＵＬサブフレームとの間の関連付けを判断することと、
前記アクセスノードによって、前記関連付けに従って前記制御情報を復号することと、ここにおいて、前記第２のコンポーネントキャリアの各ＤＬサブフレームが前記第１のコンポーネントキャリアのＵＬサブフレームに関連付けられる、
を行うように構成された少なくとも１つのプロセッサと、
前記少なくとも１つのプロセッサに結合された、データを記憶するためのメモリと
を備える、アクセスノード。
【請求項３３】
前記関連付けは、所定の数以下のＦＤＤサブフレームのための制御情報が前記ＤＬサブフレームに関連付けられるような、前記第２のコンポーネントキャリアのサブフレームに関連付けられた制御情報の分配を備える、請求項３２に記載のアクセスノード。
【請求項３４】
前記ＵＬサブフレームが、最小のハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、請求項３２に記載のアクセスノード。
【請求項３５】
前記制御情報が、バンドルされたＨＡＲＱフィードバックを備え、前記制御情報を復号することが、前記関連付けられた１つまたは複数のＦＤＤサブフレームのステータスを判断するために前記ＨＡＲＱフィードバックを復号することを備える、請求項３２に記載のアクセスノード。
【請求項３６】
前記関連付けが、ＨＡＲＱフィードバックの、ＵＬ制御チャネルフォーマットのビットへのマッピングを備える、請求項３２に記載のアクセスノード。
【請求項３７】
命令を記憶する非一時的なコンピュータ可読記憶媒体であって、前記命令は、プロセッサによって実行されるとき、前記プロセッサに、
アップリンク（ＵＬ）サブフレーム上でモバイルデバイスから、第１のコンポーネントキャリアのＴＤＤサブフレームおよび第２のコンポーネントキャリアのＦＤＤサブフレームを含むダウンリンク（ＤＬ）サブフレームのセット上での送信に関連付けられた制御情報を受信することと、ここにおいて、前記第１のコンポーネントキャリア上で通信するためのアップリンクおよびダウンリンクサブフレームの利用可能性は、前記第１のコンポーネントキャリアの前記アップリンクダウンリンク構成に従って判断され、前記第２のコンポーネントキャリア上で通信するためのアップリンクおよびダウンリンクサブフレームの利用可能性と異なる、
前記第１のコンポーネントキャリアのアップリンクダウンリンク構成に基づいて、ＤＬサブフレームの前記セットと前記ＵＬサブフレームとの間の関連付けを判断することと、
前記関連付けに従って前記制御情報を復号することと、ここにおいて、前記第２のコンポーネントキャリアの各ＤＬサブフレームが前記第１のコンポーネントキャリアのＵＬサブフレームに関連付けられる、
を行わせる、非一時的なコンピュータ可読記憶媒体。